(57)【特許請求の範囲】
【請求項１】
アンテナダイバシティを実装するためのシステムであって、
第１の種類の無線送受信機と、
第２の種類の無線送受信機と、
前記第１の種類の無線送受信機および前記第２の種類の無線送受信機を複数のアンテナ間で切り替える複数の単極双投スイッチに関連した単一の制御線を制御するデコーダ／選択器であって、非圧縮モードの動作においては、前記第１の種類の無線送受信機および前記第２の種類の無線送受信機が同時に動作し得る、デコーダ／選択器と、
ふたつの電極とひとつの共通端子とを有しており、前記第１の種類の無線送受信機を複数のアンテナの少なくとも１つに選択的に接続する第１の単極双投スイッチと、
ふたつの電極とひとつの共通端子とを有しており、前記第１の種類の無線送受信機が前記複数のアンテナのひとつに接続されている場合に、前記第２の種類の無線送受信機を前記複数のアンテナのその他のひとつに接続するように、前記第２の種類の無線送受信機を前記複数のアンテナの少なくとも１つに選択的に接続する第２の単極双投スイッチであって、前記第１の単極双投スイッチと前記第２の単極双投スイッチの制御はまとめて一緒に行われ、スイッチ制御設定の少なくとも一部に基づき、前記単一の制御線を用いて、前記第１の種類の無線送受信機および前記第２の種類の無線送受信機が前記複数のアンテナ間で切り替えられるところの前記第２の単極双投スイッチと、
前記第１の種類の無線送受信機のポートに接続している前記複数のアンテナのひとつと、前記第２の種類の無線送受信機のポートに接続している前記複数のアンテナのひとつとを検出するアンテナ検出器とを含み、
前記システムはさらに、
第１のアンテナ上の前記第１の種類の無線送受信機または前記第２の種類の無線送受信機の動作に関する通信パラメータを測定し、
前記通信パラメータが所定レベルより下であるか判定し、
前記通信パラメータが前記所定レベルより下であるとの判定に応じて、前記システムのユーザに対して、前記第１の種類の無線送受信機または前記第２の種類の無線送受信機を第２のアンテナに切り替える操作を指示し、
前記システムは、前記スイッチ制御設定の変更前にひとつの取り外し可能なダイバーシティアンテナが前記システムから取り外された場合に、対応する単極双投スイッチを残りのアンテナの少なくともひとつにつながった端子に自動的に接続して、前記取り外されたアンテナに対応する無線送受信機を前記残りのアンテナの少なくともひとつに接続するよう構成されるシステム。
【請求項２】
前記複数のアンテナが内部固定アンテナおよび取り外し可能アンテナを含む請求項１に記載のシステム。
【請求項３】
前記取り外し可能アンテナの取り外しを検出するアンテナ取り外しセンサをさらに含む請求項２に記載のシステム。
【請求項４】
前記アンテナ取り外しセンサが、
アンテナコネクタと、
電源と、
前記アンテナコネクタおよび前記電源に結合可能な抵抗分割器と
を含む請求項３に記載のシステム。
【請求項５】
前記アンテナ取り外しセンサが、前記取り外し可能アンテナの取り外しを検出するレベル検出器をさらに含む請求項４に記載のシステム。
【請求項６】
前記第１の種類の無線送受信機がＵＭＴＳ送受信機を含み、前記ＵＭＴＳ送受信機が非圧縮モードで動作可能である請求項１に記載のシステム。
【請求項７】
複数のＵＭＴＳ無線帯域の選択を行う前記第１の単極双投スイッチに結合可能な複数極ＲＦスイッチをさらに含む請求項６に記載のシステム。
【請求項８】
前記複数のＵＭＴＳ無線帯域の各々に対する送受信切替機をさらに含む請求項７に記載のシステム。
【請求項９】
前記第２の種類の無線送受信機がＥＤＧＥ送受信機を含む請求項１に記載のシステム。
【請求項１０】
前記第２の単極双投スイッチに結合可能なＥＤＧＥアンテナスイッチモジュールをさらに含む請求項９に記載のシステム。
【発明の詳細な説明】
【技術分野】
【０００１】
本発明は、通信デバイスおよびシステムに関し、特にアンテナダイバシティを実装するための通信デバイス、システムおよび方法に関係する。
【背景技術】
【０００２】
セルラー電話機などの移動通信デバイスはその移動性の故に種々の地理的場所に持ち運ぶことが出来、そこで種々の規格即ち移動アクセスプロトコルで動作する種々のシステムによりサービスの提供を受けることができる。従って、移動通信デバイスは複数の異なるシステムにおいて、複数の異なる規格および周波数帯の下で動作するように設計されつつある。幾つかの地理的場所で、幾つかのシステムにおける通信性能は他より良好でありえ、種々の無線部即ち送受信機と移動通信デバイスの種々のアンテナとの間または固定内部アンテナと移動通信デバイスに接続可能な取り外し可能アンテナとの間を切り替えることができれば最適通信にとり望ましいであろう。
【発明の概要】
【発明が解決しようとする課題】
【０００３】
完全なアンテナダイバシティを必要とするであろう種々のシステムまたは種々の通信規格における同時通信が望ましいであろう状況がまた存在しうる。完全なアンテナダイバシティでは、スイッチなどの追加構成要素から生じる伝送経路における追加損失を最小にするという課題が生じ得る。
【課題を解決するための手段】
【０００４】
本発明の実施形態に従い、アンテナダイバシティを実装するためのシステムは第１の無線部を複数のアンテナの１つに選択的に接続する第１のスイッチおよび第２の無線部を複数のアンテナの１つに選択的に接続する第２のスイッチを含むであろう。システムは、また第１の無線部のポートおよび第２の無線部のポートに接続する複数のアンテナの１つを検出するアンテナ検出器を含むであろう。
【０００５】
本発明の実施形態に従い、アンテナダイバシティを実装するためのシステムは第１の無線部を複数のアンテナの１つに選択的に接続する第１のスイッチおよび第２の無線部を複数のアンテナの１つに選択的に接続する第２のスイッチを含むであろう。システムは、さらに第１および第２のスイッチのそれぞれへのスイッチ制御線を含むであろう。スイッチ制御線は電気的に連動し、第１の無線部または第２の無線部のいずれかから複数のアンテナの１つへの接続を行い、第１および第２の無線部を共に複数のアンテナの１つに常に接続することができる。
【０００６】
本発明の別の実施形態に従い、通信デバイスはアンテナダイバシティを提供する複数のアンテナを含むであろう。複数のアンテナは固定アンテナおよび取り外し可能アンテナを含むであろう。通信デバイスは、また第１の無線部および第２の無線部を含むであろう。第１のスイッチを備え、第１の無線部を固定アンテナまたは取り外し可能アンテナの１つに選択的に接続することができ、第２のスイッチを備え、第２の無線部を固定アンテナまたは取り外し可能アンテナの１つに選択的に接続することができる。通信デバイスはさらに各無線部のポートへの有効なアンテナ接続を検出する検出器を含むであろう。
【０００７】
本発明の実施形態に従い、アンテナダイバシティを実装するための方法はダイバシティアンテナの存在を検出するステップおよびダイバシティアンテナの不在に応じて全ての通信のための主内部アンテナを選択するステップを含むであろう。本方法は、またダイバシティアンテナの存在に応じてダイバシティ動作モードに入るステップを含むであろう。
【０００８】
本発明の別の実施形態に従い、アンテナダイバシティを実装するためのコンピュータプログラム製品は、本明細書において実施するコンピュータの使用可能なプログラムコードを持つコンピュータの可読媒体を含むであろう。コンピュータの可読媒体は、ダイバシティアンテナの存在を検出するように構成するコンピュータの使用可能なプログラムコードを含むであろう。コンピュータの可読媒体は、またダイバシティアンテナの不在に応じて全ての通信のための主内部アンテナを選択するように構成するコンピュータの使用可能なプログラムコードを含むであろう。コンピュータの可読媒体は、さらにダイバシティアンテナの存在に応じてダイバシティ動作モードに入るように構成するコンピュータの使用可能なプログラムコードを含むであろう。
【０００９】
本発明のその他の態様および特徴は、特許請求の範囲により全て定義するように、添付する図面と共に以下の本発明の非限定的な詳細な説明を精査すれば当業者には明らかになろう。
【００１０】
以下の発明を実施するための最良の形態では、本発明の特定の実施形態を示す添付する図面を参照する。種々の構成および動作を持つその他の実施形態は本発明の範囲を逸脱しない。
【００１１】
当業者が理解するであろうように、本発明は方法、システム、またはコンピュータプログラム製品として実施することができる。従って本発明は、完全にハードウェアの実施形態、（ファームウェア、内在ソフトウェア、マイクロコード、などを含む）完全にソフトウェアの実施形態、または全て一般に本明細書では「回路」、「モジュール」または「システム」と呼ぶであろうソフトウェアおよびハードウェアの態様を組み合わせる実施形態の形式を取ることができる。その上、本発明はコンピュータの使用可能な蓄積媒体上のコンピュータプログラム製品の形式を取ることができ、コンピュータプログラム製品は媒体において実施するコンピュータの使用可能なプログラムコードを持つ。
【００１２】
任意の適するコンピュータの可読媒体を利用することができる。コンピュータの使用可能またはコンピュータの可読媒体は、例えば以下に限定しないが、電子、磁気、光、電磁気、赤外線、または半導体システム、装置、デバイス、または伝播媒体でありうる。コンピュータの可読媒体に関するより詳細な例は（全てを尽くすリストではないが）以下の１つまたは複数の結線を持つ電気的接続、携帯可能なコンピュータディスケット、ハードディスク、ランダム・アクセス・メモリ（random access memory、ＲＡＭ）、読み取り専用メモリ（read-only memory、ＲＯＭ）、消去可能で、プログラム可能な読み取り専用メモリ（erasable programmable read-only memory、ＥＰＲＯＭまたはフラッシュメモリ）、光ファイバ、携帯可能なコンパクトディスク読み取り専用メモリ（compact disc read-only memory、ＣＤ−ＲＯＭ）、光蓄積デバイス、インターネットまたはイントラネットをサポートするものなどの伝送媒体、または磁気的蓄積デバイスを含むであろう。プログラムを例えば紙またはその他の媒体の光学的走査により電子的に記録し、次いで必要であればコンパイル、インタプリート、または適するようにその他の方法で処理し、次いでコンピュータメモリに蓄積することができるので、コンピュータの使用可能またはコンピュータの可読媒体はプログラムを印刷する紙、または別の適する媒体でさえありうることに留意されたい。本書類のコンテキストでは、コンピュータの使用可能またはコンピュータの可読媒体はプログラムを包含、蓄積、通信、伝播、伝送して、命令実行システム、装置、またはデバイスによりまたは命令実行システム、装置、またはデバイスと接続して使用することができる任意の媒体でありうる。
【００１３】
本発明の動作を実行するコンピュータプログラムコードはＪａｖａ（登録商標）、Ｓｍａｌｌｔａｌｋ、Ｃ＋＋などのオブジェクト指向プログラミング言語で書くことができる。とはいえ本発明の動作を実行するコンピュータプログラムコードは、また「Ｃ」プログラミング言語または類似のプログラミング言語などの従来の手続きプログラミング言語で書くことができる。プログラムコードは完全にユーザのコンピュータ上で、部分的にユーザのコンピュータ上で独立のソフトウェアパッケージとして、部分的にユーザのコンピュータ上でおよび部分的に遠隔コンピュータ上でまたは完全に遠隔コンピュータまたはサーバ上で実行することができる。後者のシナリオでは、遠隔コンピュータはローカル・エリヤ・ネットワーク（local area network、ＬＡＮ）または広域エリヤネットワーク（wide area network、ＷＡＮ）を通じてユーザのコンピュータに接続することができるか、または外部コンピュータに（例えば、インターネット・サービス・プロバイダを使用してインターネットを通じて）接続することができる。
【００１４】
本発明の実施形態に従う方法、装置（システム）およびコンピュータプログラム製品のフローチャート例図およびブロック図またはそのいずれかを参照して、本発明を以下に説明する。フローチャート例図およびブロック図またはそのいずれかの各ブロック、およびフローチャート例図およびブロック図またはそのいずれかのブロックの組み合わせをコンピュータプログラム命令により実装することができることが理解されるであろう。これらのコンピュータプログラム命令を汎用コンピュータ、専用コンピュータまたはマシーンを作成するその他のプログラム可能なデータ処理装置のプロセッサに提供し、コンピュータまたはその他のプログラム可能なデータ処理装置のプロセッサにより実行する命令が、フローチャートおよびブロック図またはそのいずれかのブロックにおいて指定する機能／動作を実装する手段を作成するようにすることができる。
【００１５】
これらのコンピュータプログラム命令を、またコンピュータの可読メモリに蓄積することができ、コンピュータまたはその他のプログラム可能なデータ処理装置が特定の方法で機能するように指令することができ、コンピュータの可読メモリに蓄積する命令がフローチャートおよびブロック図またはそのいずれかのブロックにおいて指定する機能／動作を実装する命令手段を含む製品を作成するようにすることができる。
【００１６】
コンピュータプログラム命令をまたコンピュータまたはその他のプログラム可能なデータ処理装置にロードし、コンピュータまたはその他のプログラム可能な装置において実行する一連の動作ステップがコンピュータを実装する処理を作成するようにし、コンピュータまたはその他のプログラム可能な装置において実行する命令が、フローチャートおよびブロック図またはそのいずれかのブロックにおいて指定する機能／動作を実装するステップを提供するようにすることができる。
【図面の簡単な説明】
【００１７】
【図１Ａ】、
【図１Ｂ】本発明の実施形態に従いアンテナダイバシティを実装するための例示的通信デバイスおよびシステムのブロック概要図である。
【図２Ａ】本発明の実施形態に従いアンテナダイバシティを実装するための方法例のフローチャートである。
【図２Ｂ】本発明の実施形態によるアンテナダイバシティを実装するための方法例のフローチャートである（図２Ａおよび図２Ｂを纏めて図２）。
【発明を実施するための形態】
【００１８】
図１は、本発明の実施形態に従いアンテナダイバシティを実装するための例示的通信デバイス１００およびシステム１０２のブロック概要図である。通信デバイス１００は複数のアンテナ１０４を含むであろう。複数のアンテナ１０４は主アンテナ１０６およびダイバシティアンテナ１０８を含むであろう。図１の実施形態に示すように、主アンテナ１０４は、取り外し可能であり、無線周波数（radio frequency、ＲＦ）コネクタ１１０、ジャックまたはその他のタイプのアンテナ接続手段に差し込むことができる外部アンテナでありうる。ダイバシティアンテナ１０８は固定の内部アンテナでありうる。本発明のその他の実施形態では、主アンテナ１０６は固定の内部アンテナであり、ダイバシティアンテナ１０８は取り外し可能でありうる。
【００１９】
通信デバイス１００はまた第１の無線部１１２および第２の無線部１１４を含むであろう。第１の無線部１１２は、汎用移動通信システム（Universal Mobile Telecommunications System、ＵＭＴＳ）タイプの送受信機またはその他のタイプの送受信機でありえ、第２の無線部１１４は、ＧＳＭ（Global System Mobile Communications、グローバルシステム移動通信）のための高度データ展開（ＥＤＧＥ、Enhanced Data for GSM Evolution）タイプの送受信機またはその他のタイプの送受信機でありうる。第１のスイッチ１１６は、第１の無線部１１２即ちＵＭＴＳ送受信機を主アンテナ１０６またはダイバシティアンテナ１０８の１つに選択的に接続することができる。第２のスイッチ１１８は、第２の無線部１１４即ちＥＤＧＥ送受信機を主アンテナ１０６またはダイバシティアンテナ１０８の１つに選択的に接続することができる。第１のスイッチ１１６および第２のスイッチ１１８はそれぞれ、代替ＲＦ信号経路即ちアンテナを選択するための単極双投（ＳＰＤＴ）無線周波数（ＲＦ）スイッチまたはその他のタイプのデバイスでありうる。このスイッチ装置はいずれかのアンテナからいずれかの送受信機への伝送経路におけるただ１つの追加スイッチ要素損失のみによりＵＭＴＳおよびＥＤＧＥ無線双方の完全なアンテナダイバシティ（ＴｘおよびＲｘ）を可能にする。さらに、このように接続する２つのＳＰＤＴスイッチ要素１１６および１１８は、１つのスイッチ１１６または１１８のみを通した無線部１１２または１１４（ＵＭＴＳまたはＥＤＧＥ）のいずれかのアンテナ１０６または１０８のいずれかへの接続を可能にする。この装置はまた必要であればＥＤＧＥおよびＵＭＴＳ双方の同時動作、即ち非圧縮モード動作を可能にする。
【００２０】
第１のスイッチ１１６および第２のスイッチ１１８はデコーダ／選択器モジュール即ちハードウェアコントローラ１２０により制御することができる。デコーダ／選択器モジュール即ちハードウェアコントローラ１２０は複数のアンテナ１０４の内無線部１１２および１１４のそれぞれにそれぞれ結合するアンテナを制御することができる。図２に関してさらに詳細に説明するように、この制御は利用可能なシステムおよび信号強度または利用可能な各システムから測定可能なその他の動作パラメータなどの関係する性能パラメータに基づき自動的でありうる。あるいは、無線部に接続するアンテナはユーザにより制御することができる。従って、デコーダ／選択器モジュール即ちハードウェアコントローラ１２０は本発明の幾つかの実施形態では随意選択でありうる。
【００２１】
スイッチ１１６および１１８の制御線は、破線１２１により示すように集められる、即ちアンテナ選択スイッチ制御線でありうる（明確さのために図１では１本の線により示す）。スイッチ１１６および１１８の制御線１２１を電気的に連動させ、送受信機１１２および１１４のいずれかからアンテナ１０６および１０８のいずれかへの接続を行う。送受信機１１２および１１４はその場合共に常にアンテナ１０６および１０８の１つに接続することができる。この接続はコントローラ即ち選択器１２０のただ１本の制御線による所与の無線送受信機１１２および１１４のアンテナ間の切り替えを可能にし、所望であれば無線送受信機１１２および１１４双方の同時動作を可能にする。これが可能であるのは、２本のアンテナ１０６および１０８が物理的および電気的に分離しているからである。ＵＭＴＳは、この正確な動作モードを必要とする非圧縮モードを有するが、一度に２つの無線が動作することの難しさのために多くの注意を引かなかった。
【００２２】
通信デバイス１００はまた、第１の無線部１１２のポート１２４に接続することができる複数のアンテナ１０４の内のどれかひとつと、第２の無線部１１４のポート１２６に接続することができる複数のアンテナ１０４の内のどれかひとつとを検出するアンテナ検出器１２２を含むであろう。アンテナ検出器１２２はまた、図１に示す本発明の実施形態で説明するように主アンテナ１０６などの取り外し可能アンテナの取り外しを検出するアンテナ取り外しセンサ１２８を組み込むかまたは定義することができる。アンテナ検出器１２２即ち取り外しセンサ１２８は、機械的に動作するかまたは他の手段により動作することのできるスイッチ１３０などと結合することができるコネクタ１１０を含むであろう。検出器１２２即ちセンサ１２８は、また電源１３２（Ｖｃｃ）およびアンテナの存在または取り外しを検出する接地電位１３５または類似の装置に結合する電圧分割器抵抗回路１３４（抵抗１３４ａおよび１３４ｂ）を含むであろう。アンテナ検出器１２２即ち取り外しセンサ１２８は、またデコーダ／選択器モジュール即ちハードウェア１２０の一部でありうるレベル検出器１３６を含むであろう。アンテナ検出信号１３８をアンテナ検出器１２２からレベル検出器１３６へ送信することができる。
【００２３】
通信デバイス１００はまた第１の無線部１１２即ちＵＭＴＳ送受信機と結合することができる複数極ＲＦスイッチ１３８を含むであろう。複数極ＲＦスイッチ１３８は第１の無線部１１２における種々のサブ無線部を選択する単極三投（ＳＰ３Ｔ）スイッチ等でありうる。種々のサブ無線部は種々の周波数帯における動作に適応することができる。例えば、複数極スイッチ１３８は２１００ＭＨｚ送受信切替機１４０、１９００ＭＨｚ送受信切替機１４２、８００ＭＨｚ送受信切替機１４４などの構成要素を選択するように制御することができる。送受信切替機１４０、１４２、および１４４のそれぞれはＵＭＴＳ／ＥＤＧＥ移動通信端末１４６等に結合することができる。端末１４６はユーザとインタフェースし、ユーザが通信デバイス１００の動作を制御する構成要素を含むであろう。構成要素（明確さのために図示しない）はキーパッド、ディスプレイ、マイクロフォン、スピーカまたはユーザによるデバイスの制御および動作を容易にする移動通信デバイスに普通のその他の構成要素を含むであろう。
【００２４】
通信デバイス１００はまたＥＤＧＥアンテナスイッチ１４８即ちモジュールを含むであろう。ＥＤＧＥアンテナスイッチ１４８は第２のスイッチ１１８により複数のアンテナの内の１本をＥＤＧＥ送受信機１１４の適する周波数の一部または部分（８００ＭＨｚ、９００ＭＨｚ、１８００ＭＨｚまたは１９００ＭＨｚ）に選択的に結合することができる。ＥＤＧＥアンテナスイッチ１４８はＵＭＴＳ／ＥＤＧＥ端末１４６に結合することができる。
【００２５】
図２Ａおよび図２Ｂ（纏めて図２）は本発明の実施形態によるアンテナダイバシティを実装するための方法例２００のフローチャートである。方法２００は図１の通信デバイス１００または類似の通信デバイスにより実施または実行することができる。ブロック２０２で、図１のデバイス１００などの通信デバイスは電力供給を受けることができるか、または通信デバイスは利用可能な新しいかまたは追加通信ネットワークまたはシステムにより新たな地理的領域に入る。ブロック２０４で、ダイバシティアンテナが存在するかの判断を行うことができる。ダイバシティアンテナが存在するとブロック２０４で判断すれば、方法２００はブロック２１８に進む。ブロック２１８で、通信デバイスはダイバシティ動作モードに入ることができる。ダイバシティ動作モードでは、通信デバイスまたはユーザは図１のアンテナ１０４に類似の複数のアンテナの中から１つのアンテナを選択することができ、このアンテナはシステムの通信品質に関連する信号強度またはその他のパラメータなどの、検出するかまたは測定する通信パラメータまたはシステムのパラメータに応じて最良の性能を提供することができる。
【００２６】
ダイバシティアンテナの不在をブロック２０４で判断すれば、方法２００はブロック２０６に進む。ブロック２０６で、通信デバイスに関連する主即ち固定内部アンテナを全ての通信のために選択する。ブロック２０８で、利用可能なシステムに関連する通信パラメータを周期的に測定する。ブロック２１０で、信号強度などの測定パラメータが所定のレベル即ち限度を超えるかの判断を行う。所定のレベル即ち限度を超えなければ、方法２００はブロック２０８に戻り、パラメータの周期的測定を続ける。所定のレベル即ち限度を超えれば、例えば信号強度が所定のレベルを下回れば、方法２００はブロック２１２に進むことができる。
【００２７】
ブロック２１２で、信号強度などの測定パラメータが下限に近いかまたは所定の閾値を下回り、外部アンテナなどの別のアンテナにおける動作が最良でありうることをユーザにアドバイスするメッセージをユーザに提示することができる。メッセージはディスプレイに提示し、警告音を生成し、通信デバイスのスピーカまたはこれらの手段の組み合わせにより音声助言を生成するか、またはその他の手段を使用して現在の動作状態または別のアンテナ即ちダイバシティアンテナ動作を使用すべきことをユーザにアドバイスすることができる。方法２００は次いでブロック２０４に戻り、本方法は前記と同様に続ける。
【００２８】
ブロック２１４で、図１の通信デバイス１００に関して説明したアンテナ検出器１２２などのアンテナ検出器手段を周期的にポーリングし、ダイバシティアンテナを取り付けたかまたは稼動したかを判断することができる。ポーリングは図１のアンテナ検出線１５０に結合するピンなどのピン上の信号を検出するかまたはその他の手段により実行することができる。
【００２９】
ブロック２１６で、ダイバシティアンテナの存在の判断を行う。ダイバシティアンテナの不在をブロック２１６で判断すれば、本方法２００はブロック２１４に戻り、アンテナ検出器手段などはダイバシティアンテナの存在の周期的ポーリングを継続する。ダイバシティアンテナの存在をブロック２１６で判断すれば、方法２００はブロック２１８に進む。以前に考察したように、通信デバイスはダイバシティアンテナの存在の検出に応じてブロック２１８でダイバシティ動作モードに入ることができる。
【００３０】
ブロック２２０で、ダイバシティアンテナが通信デバイスから取り外されたかまたは非接続になったかを判断することができる、即ちダイバシティアンテナの取り外しまたは非接続を検出することができる。ダイバシティアンテナの取り外しがブロック２２０で検出されなければ、方法２００はブロック２２２に進み、ダイバシティモードの動作を継続する。ダイバシティアンテナの取り外しまたは非接続をブロック２２０で検出すれば、方法２００はブロック２２４に進む。ブロック２２４で、スイッチ制御の設定またはモードに関わらず全ての通信に主アンテナ即ち内部固定アンテナを自動的に選択する。取り外し可能アンテナの取り外し後の内部固定アンテナの選択応答はナノ秒の約数１０分の１であり、あらゆるモードまたはアンテナ選択器スイッチをリセットすることなく取り外し可能アンテナを取り外し、内部固定アンテナを使用する動作を選択する場合、電力増幅器、スイッチおよびその他の敏感な構成要素などの通信デバイスの構成要素への損傷を防止することができる。
【００３１】
本発明をＵＭＴＳ送受信機およびＥＤＧＥ送受信機の使用に関して説明し、図示したが、本明細書で説明した構成および方法は異なるプロトコルまたは規格により動作する環境または通信システムの他の多様なタイプにおいて動作可能な他のタイプの通信デバイスに適用可能でありうる。
【００３２】
図面のフローチャートおよびブロック図は本発明の多様な実施形態による構成、機能およびシステム、方法およびコンピュータプログラム製品の可能な実装動作を示す。この点について、フローチャートまたはブロック図における各ブロックは、指定する論理機能を実装する１つまたは複数の実行可能な命令を含むモジュール、セグメントまたはコードの一部を表すことができる。幾つかの代替実装では、ブロックに注記する機能は図面に注記する順序外で生じることがありうることにまた留意すべきである。例えば、包含する機能に応じて、連続して示す２つのブロックを実際には実質上競合して実行するか、またはブロックを時に逆の順序で実行することがありうる。指定する機能または動作を実行する専用ハードウェアベースシステム、または専用ハードウェアおよびコンピュータ命令の組み合わせにより、ブロック図およびフローチャート例図またはそのいずれかの各ブロック、およびブロック図およびフローチャート例図またはそのいずれかのブロックの組み合わせを実装することができることをまた注記することにする。
【００３３】
本明細書で使用する用語は特定の実施形態のみを説明することを目的とし、本発明を制限しようとすることを意図しない。本明細書で使用するように、コンテキストにより明確に他に指示しない限り、単数形「不定冠詞a」、「不定冠詞an」および「定冠詞」は複数形をも含むと考えられる。用語「包含する」または「包含している」は、本明細書で使用する場合記載する特徴、整数、ステップ、動作、要素、構成要素、またはそれらの組み合わせの存在を指定するが、１つまたは複数の他の特徴、整数、ステップ、動作、要素、構成要素、以上のグループ、またはそれらの組み合わせの存在または追加を排除しないことがさらに理解されよう。
【００３４】
特定の実施形態を本明細書で説明し、図示したが、同じ目的を達成するように計算するあらゆる装置は図示する特定の実施形態を置換することができ、本発明には他の環境では他の適用があることを当業者は理解する。本願は本発明のあらゆる適応または変形を含むと考えられる。添付する特許請求の範囲は本発明の範囲を決して本明細書で説明する特定の実施形態に限定するとは考えられない。
【図１Ａ】
0005380554.tif 000002
【図１Ｂ】
0005380554.tif 000003
【図２Ａ】
0005380554.tif 000004
【図２Ｂ】
0005380554.tif 000005